(57)【要約】      （修正有）【課題】靴下、タイツ等を陳列するトルソーであり、安価で、トルソーに被せない部分を綺麗に隠して、既存の什器を用いて陳列できる見栄えのいいレッグトルソーを提供する。【解決手段】レッグトルソー１００は、人の足先から脚または太腿までの側面を模した左側面１１０および右側面１２０と、足甲側の平面１３０と、左側面と右側面とを略平行に連結する複数の連結面とを備える。右側面における足先逆側には穴部１２２が設けられ、穴部にはフック２００を係止する凹状の係止部１２４が穴部と一体化されて設けられる。レッグトルソーは、係止部１２４に対応した位置であって左側面と右側面との間の位置に、左側面および右側面に略平行に設けられた、フックを係止する係止面１６０をさらに備え、この係止面には係止部１２４に対応する凹部１６４を備える。【選択図】図２
0003200667.tif 000002
【実用新案登録請求の範囲】
【請求項１】
平面状のシートが立体的に組み立てられた、人が足に履く足被覆衣類を陳列するためのレッグトルソーであって、
人の足先から脚または太腿までの側面を模した左右側面と、
前記左右側面を略平行に連結する複数の連結面とを備え、
前記左右側面のいずれか一方の側面における足先逆側には穴部が設けられ、前記穴部には棒状部材を係止する係止部が前記穴部と一体化されて設けられ、
前記レッグトルソーは、前記係止部に対応した位置であって前記左右側面の間の位置に、前記左右側面に略平行に設けられた、前記棒状部材を係止する係止面をさらに備え、
前記レッグトルソーは、前記左右側面の足先逆側の端部を平面に当接させることにより前記平面に対して立設可能である、レッグトルソー。
【考案の詳細な説明】
【技術分野】
【０００１】
本考案は、靴下等の足被覆衣類の展示、販売、販売促進等のために足被覆衣類（靴下、ハイソックス、ストッキング、タイツ等）を店頭で陳列する紙、プラスチック、金属等の素材からなる平面状のシートを立体的に組み立てたレッグトルソーに関し、特に、安価で、トルソーに被せない部分を綺麗に隠して、既存の什器を用いて陳列することのできるレッグトルソーに関する。
【背景技術】
【０００２】
従来、百貨店、洋品店、量販店等において、上半身衣類および下半身衣類（足被覆衣類を含む）その他の衣料品を販売するにあたっては、立体的な人体形状のマネキンにこれらの衣類を着せて陳列したり、一部の人体形状を模したトルソー（腕、顔および下半身がない上半身だけのボディトルソー、上半身がない下半身だけのレッグトルソー）に衣類を着せて陳列したりしている。
【０００３】
これらのマネキンおよびトルソーは、高価な金型を用いてプラスチック等を成型することにより立体的な人体形状を模して製造されており、高価であるという問題および使用後の廃棄処理の問題がある。また、マネキンでの陳列は、広いスペースが必要であり、売場面積の広い店舗では有効であるが、売場面積の小さい店舗ではマネキンを陳列することが難しい問題がある。この点ではマネキンよりもトルソーが好ましい。その一方、マネキンおよびボディトルソーを使用しない場合には、洋服用ハンガーに上半身衣類を掛けて販売することになるが、このような洋服用ハンガーでは膨らみが出ないため、マネキンおよびボディトルソーのように上半身衣類のシルエットを綺麗に出すことができず、見栄えが悪い問題がある。
【０００４】
このような問題に対して、実用新案登録第３１２１２５０号公報（特許文献１）は、洋服用ハンガーを用いた陳列であっても、上半身衣類服の形状を綺麗に見せることができ、不使用時でも邪魔にならない紙製の衣服陳列用ボディトルソーを開示する。
この紙製の衣服陳列用ボディトルソーは、隅部を面取りした段ボール、板紙、合成紙などの横長矩形状のシート本体、該シート本体の中央部より上方（長辺側）に偏って洋服用ハンガーの首部挿通用の透孔を設け、該透孔を挟んで長手方向（短辺側）に洋服用ハンガーの肩部支持用のコ字状長孔を設け、該コ字状長孔の側縁部を長辺方向に折り込み可能に山折り線を形成するとともに前記コ字状長孔の中心線部付近よりシート本体を二つ折りして、シート本体を前身頃部と後身頃部とに形成したことを特徴とする。
【０００５】
この紙製の衣服陳列用ボディトルソーによると、該ハンガー肩部支持片により前身頃と後身頃は外方向に押圧されスカートを開いた状態に広がるので、その状態で衣服を被せると衣服に膨らみが生じ、従来のボディトルソーと同様に立体的に見せることができるので、単に洋服用ハンガーに掛けたものに比べて宣伝効果を上げることができる。
【先行技術文献】
【特許文献】
【０００６】
【特許文献１】実用新案登録第３１２１２５０号公報
【考案の概要】
【考案が解決しようとする課題】
【０００７】
しかしながら、この特許文献１に開示された紙製の衣服陳列用ボディトルソーは、上半身衣類のみに適用できるものでしかなく、下半身用衣類に対して適用できるものではない。そのため、下半身衣類、特に足被覆衣類（靴下、ハイソックス、ストッキング、タイツ等）については、安価で、廃棄の問題を解消しつつ、マネキンおよびトルソーのように足被覆衣類のシルエットを綺麗に出すことが依然として実現できていない。
【０００８】
特に、下半身衣類においてパンティ部を含むタイツおよびパンティストッキング等の場合、フット部（足先部）、レッグ部（脚部）、パンティ部で構成され、これを陳列するためには臀部等を含む下半身全体のマネキンまたはトルソーが必要となる。外部から視認できるという点でファッションとして重視されるフット部およびレッグ部のシルエットを強
調して陳列したい場合であっても（パンティ部は外部から視認できないにもかかわらず）パンティ部を含めて陳列せざるを得ない。このように、パンティ部を履かせる臀部がマネキンまたはトルソーに必要不可欠となるので、臀部を含む大型の下半身全体のマネキンまたはトルソーが必要になる。
【０００９】
本考案は、従来技術の上述の問題点に鑑みて開発されたものであり、その目的とするところは、靴下、タイツ等の足被覆衣類の陳列に好適に用いられ、安価で、トルソーに被せない部分を綺麗に隠して、既存の什器を用いて陳列することのできるレッグトルソーを提供することを目的とする。
なお、本考案に係るレッグトルソーが好適に適用される足被覆衣類には、靴下（ソックス）のみならず（靴下の丈の長さは特に限定されない）、パンティ部を備えたパンティーストッキングおよびタイツ（これらの一部（足首より先の部分やパンティ部等）を欠落させた、スパッツ、レギンスおよびトレンカ等と呼ばれるものを含む）を含む。
【課題を解決するための手段】
【００１０】
上記目的を達成するため、本考案に係るレッグトルソーは以下の技術的手段を講じている。
すなわち、本考案に係るレッグトルソーは、平面状のシートが立体的に組み立てられた、人が足に履く足被覆衣類を陳列するためのレッグトルソーであって、人の足先から脚または太腿までの側面を模した左右側面と、前記左右側面を略平行に連結する複数の連結面とを備え、前記左右側面のいずれか一方の側面における足先逆側には穴部が設けられ、前記穴部には棒状部材を係止する係止部が前記穴部と一体化されて設けられ、前記レッグトルソーは、前記係止部に対応した位置であって前記左右側面の間の位置に、前記左右側面に略平行に設けられた、前記棒状部材を係止する係止面をさらに備え、前記レッグトルソーは、前記左右側面の足先逆側の端部を平面に当接させることにより前記平面に対して立設可能であることを特徴とする。
【考案の効果】
【００１１】
本考案に係るレッグトルソーによれば、靴下、タイツ等の足被覆衣類の陳列に好適に用いられ、安価で、トルソーに被せない部分を綺麗に隠して、既存の什器を用いて陳列することのできるレッグトルソーを提供することができる。
【図面の簡単な説明】
【００１２】
【図１】本考案の実施の形態に係るレッグトルソーの全体を示す側面図（Ａ）および全体を示す斜視図（Ｂ）である。
【図２】図１のレッグトルソーの３方向から見た図（Ａ）および使用態様を示す図（Ｂ）である。
【考案を実施するための形態】
【００１３】
以下、本考案の実施の形態に係る紙製レッグトルソー（以下において単にレッグトルソーと記載する場合がある）１００を、図面に基づき詳しく説明する。なお、以下の説明においては、紙の素材からなる平面状のシートを立体的に組み立てたレッグトルソー１００について説明するが、本考案はこれに限定されるものではなく、紙の素材を含み、プラスチックや金属等の素材からなる平面状のシートを立体的に組み立てたレッグトルソーであっても構わない。
【００１４】
図１（Ａ）に示すレッグトルソー１００の全体を示す側面図、図１（Ｂ）に示すレッグトルソー１００の全体を示す斜視図、図２（Ａ）に示すレッグトルソー１００を３方向から見た図、および、図２（Ｂ）に示すレッグトルソー１００の２種類の使用態様を示す図を参照して、このレッグトルソー１００について説明する。なお、図２（Ａ）には、ふくらはぎ側から見た背面図（左から２番目の図）とふくらはぎ側をその左側から見た左斜視図（一番左の図）およびふくらはぎ側をその右側から見た右斜視図（右から２番目の図）ならびに穴部１２２に足被覆衣類（ここではタイツＴ）の不要部分（ここではパンティ部）を押し込んだ状態を示す図（一番右の図）を、図２（Ｂ）にはレッグトルソー１００を従来の什器の棒状部材（ここでは先端２１０が斜め上方向に傾斜したフック２００）に吊り下げた使用態様を示す図（左側の図）および足被覆衣類（ここではソックスＳ）を被せ
たレッグトルソー１００を平面状の卓上面３００に立設した使用態様を示す図（右側の図）を、それぞれ含むものである。
【００１５】
このレッグトルソー１００は、（分解図および展開図を示さないが）平面状の紙が、図１および図２に示す立体形状に組み立てられている。このレッグトルソー１００に人が足に履く足被覆衣類（ここではタイツＴ、ソックスＳ）が被せられて足被覆衣類が陳列される。
このレッグトルソー１００は、人の足先から脚または太腿までの側面を模した左側面１１０および右側面１２０と、足甲側の平面１３０と、左側面１１０と右側面１２０とを略平行に連結する複数の連結面（垂直方向第１連結面１４０、垂直方向第２連結面１４２、垂直方向第３連結面１４４および水平方向第１連結面１５０、水平方向第２連結面１５２）とを備える。平面１３０は、左側面１１０と右側面１２０とを略平行に連結する連結面でもある。なお、左側面１１０と右側面１２０とは略平行に連結されているが、略平行の範囲には、平行に連結されている態様に加えて、足先側が足先逆側よりもわずかに細くなるテーパーを備えるように連結されている態様も含む。
【００１６】
左側面１１０および右側面１２０のいずれか一方の側面（ここでは右側面１２０）における足先逆側（脚側、太腿側）には穴部１２２が設けられ、穴部１２２には棒状部材（フック２００）を係止する凹状の係止部１２４が穴部１２２と一体化されて設けられている。そして、図２（Ｂ）における左側の図に示すように、このレッグトルソー１００は、係止部１２４に対応した位置であって左側面１１０と右側面１２０との間の位置に、左側面１１０および右側面１２０に略平行に設けられた、棒状部材（フック２００）を係止する係止面１６０をさらに備え、この係止面１６０には係止部１２４に対応する凹部１６４を備える。
【００１７】
さらに、このレッグトルソー１００は、図２（Ｂ）における右側の図に示すように、左側面１１０および右側面１２０の足先逆側の端部を卓上面３００に当接させることにより卓上面３００に対して立設させることができる。このため、左側面１１０および右側面１２０の足先逆側の端面高さは同一で、かつ、端面は平坦であって、この端面を下方にしてこのレッグトルソー１００を立設させたときにレッグトルソー１００が倒れないようにレッグトルソー１００の重心が設定されている。すなわち、このように卓上面３００にレッグトルソー１００を立設できるように、レッグトルソー１００の全体形状、各部形状（特に側面形状）、貼り付け構造（展開図構造）、および、重量配分（たとえば平面１３０を分割する等）が定められている。
【００１８】
右側面１２０に設けられた穴部１２２についてさらに詳しく説明する。この穴部１２２は、（１）タイツＴ等のようにパンティ部を備えた足被覆衣類の不要部分を押し込む穴であるともに、（２）このように足被覆衣類の不要部分を押し込んだ場合および押し込んでない場合のいずれの場合であっても、棒状部材（フック２００）を係止する穴でもある。なお、足被覆衣類の不要部分を押し込んで棒状部材（フック２００）によりこのレッグトルソー１００を吊り下げて陳列する場合には、穴部１２２に押し込まれた足被覆衣類の不要部分の生地の柔軟性および伸張性を利用して、棒状部材（フック２００）と係止部１２４および凹部１６４との間に不要部分の生地を挟んで、係止部１２４および凹部１６４に棒状部材（フック２００）を係止することになる（フック２００と係止部１２４および凹部１６４との間に生地が存在する）。足被覆衣類の不要部分を押し込まない場合は、係止部１２４および凹部１６４に棒状部材（フック２００）を直接係止することになる。
【００１９】
穴部１２２は、略正方形の形状を備え、足被覆衣類の生地が引っ掛からないように角部が丸みを帯びさせている。そして、この上辺の中央近傍には棒状部材（フック２００）の外径に対応して（外径よりも少し大きい）凹状の係止部１２４が穴部１２２と一体化されて設けられている。上述したように、係止面１６０は、この係止部１２４に対応した位置に凹部１６４を備える。
【００２０】
係止面１６０は、図２（Ｂ）における右側の図に示すように、Ｌ字連結面１６２と係止面１６０と垂直方向第３連結面１４４とが折り曲げられて、左側面１１０と右側面１２０との間の位置に、左側面１１０および右側面１２０に略平行に設けられている。垂直方向
第３連結面１４４は、１つの角が切り欠かれた長方形形状であって、切り欠かれた部分を備えることにより棒状部材（フック２００）の先端２１０を収納する空間Ｐを設けることができる。このため、棒状部材（フック２００）の先端２１０は視認方向から平面１３０に隠れて見えないとともに、タイツＴを被せた場合にレッグトルソー１００に被せきれなくて穴部１２２に入れ込んだパンティ部の生地も視認方向から見えないようにすることができる。
【００２１】
そして、この係止面１６０は略長方形形状であってこの下辺１６６の中央近傍には棒状部材（フック２００）の外径に対応して（外径よりも少し大きい）凹部１６４が設けられている。ここで、凹部１６４は、係止部１２４と形状および位置が対応させてある。さらに、この係止面１６０の下辺１６６の形状は（凹部１６４と係止部１２４との関係を含めて）穴部１２２の上辺形状に合致させている。
【００２２】
このような構造を備えた本実施の形態に係るレッグトルソー１００の使用方法について説明する。まず、レッグトルソー１００に足被覆衣類であるソックスＳやタイツＴを被せる。このとき、足先側が足先逆側よりも細くなるテーパー状になっていると足被覆衣類を被せやすい。パンティ部を備えたタイツＴをレッグトルソー１００に被せる場合には、パンティ部に対応する部位をレッグトルソー１００が備えないのでそのパンティ部の生地が余る。この余ったパンティ部の生地を、図２（Ａ）における一番右の図に示すように、穴部１２２に入れ込む。これにより、レッグトルソー１００に被せきれなかった生地を綺麗に隠すことができる。
【００２３】
そして、図２（Ｂ）における左側の図に示すように、従来の什器が備える棒状部材（フック２００）を係止部１２４および凹部１６４を係止して足被覆衣類を被せたレッグトルソー１００の全体を吊り下げて陳列させたり、図２（Ｂ）における右側の図に示すように、陳列机または陳列棚等の卓上面３００にこのレッグトルソー１００の左側面１１０および右側面１２０の足先逆側の端部を当接させて卓上面３００にレッグトルソー１００を立設させて足被覆衣類を被せたレッグトルソー１００を立てて陳列させたりする。いずれの陳列態様であっても、タイツＴの場合に余った生地を綺麗に隠すことができ、従来の什器を用いて陳列することができる。
【００２４】
特に、レッグトルソー１００を吊り下げる場合には以下のように陳列されることになる。従来の什器は、縦方向にも横方向にも複数の棒状部材（フック２００）が水平方向に並設されたものが多い。このような什器においては、平面状に足被覆衣類（タイツ、パンティストッキング）が折り畳まれてパッケージされて、そのパッケージの上方に設けられた穴に棒状部材（フック２００）を貫通させて棒状部材（フック２００）の長手方向に複数のパッケージを並べて陳列する場合が多い。これでは、購入希望者が立体的なイメージを想像することが難しかったが、少なくとも１本の棒状部材（フック２００）に足被覆衣類を被せたレッグトルソー１００を吊り下げることにより、多くの商品パッケージとともに少なくとも１個の足被覆衣類を立体的に陳列することができるようになる。
【００２５】
以上のようにして、本実施の形態に係るレッグトルソー１００によると、靴下、タイツ等の足被覆衣類の陳列に好適に用いられ、紙の素材からなる平面状のシートを立体的に組み立てているので従来のプラスチック等で製造されたトルソーのように成型用の高価な金型を必要としないために安価で、トルソーに被せない部分を綺麗に隠して、既存の什器を用いて陳列することができる。
【００２６】
なお、今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００２７】
本考案は、靴下、タイツ等の足被覆衣類の陳列に好適であり、安価で、トルソーに被せない部分を綺麗に隠して、既存の什器を用いた陳列に特に好適である。
【符号の説明】
【００２８】
１００  レッグトルソー
１１０  左側面
１３０  平面
１２０  右側面
１４０、１４２、１４４  垂直方向連結面
１５０、１５２  水平方向連結面
１６０  係止面
２００  フック（棒状部材）
３００  卓上面
Ｓ  靴下（ソックス）
Ｔ  タイツ
【図１】
0003200667.tif 000003
【図２】
0003200667.tif 000004